(57)【要約】【課題】個人認証の技術を用いることによりユーザの機器操作を不要にすることが可能な制御システムを提供する。【解決手段】制御システムは、個人認証によって個人が特定されたことに基づき、特定された個人に関連付けて登録されている処理Ｘ，Ｙ，Ｚを、それぞれ、機器３００−１、機器３００−２、機器３００−３に実行させる。【選択図】図２
2015226557.tif 000002
【特許請求の範囲】
【請求項１】
個人認証によって個人が特定されたことに基づき、前記特定された個人に関連付けて登録されている処理を、予め定められた機器に実行させる、制御システム。
【請求項２】
宅内のトイレにおける体重測定によって前記個人認証を行なう、請求項１に記載の制御システム。
【請求項３】
予め定められた時間帯において前記体重測定または前記個人認証が行われたことに基づき、前記処理を前記機器に実行させる、請求項２に記載の制御システム。
【請求項４】
前記制御システムは、
前記体重測定を行なう体重計と、
前記体重計と複数の前記機器とに通信可能に接続されたサーバ装置とを備え、
前記サーバ装置は、
前記体重計から受信した前記体重測定の結果に基づき、前記個人認証を行なう個人認証手段と、
前記個人認証の対象者としての第１の個人に対して、前記複数の機器のうちの第１の機器と、前記第１の機器における第１の処理とを関連付けたデータを記憶した記憶手段と、
前記個人認証により前記第１の個人が特定された場合、前記データに基づいて、前記登録されている処理として前記第１の処理を、前記予め定められた機器としての前記第１の機器に実行させる、請求項２または３に記載の制御システム。
【請求項５】
前記データは、前記第１の個人に対して、前記複数の機器のうちの第２の機器と、前記第２の機器における第２の処理とをさらに関連付けており、
前記サーバ装置は、前記個人認証により前記第１の個人が特定された場合、前記データに基づいて、前記第１の処理を前記第１の機器に実行させ、前記登録されている処理として前記第２の処理を前記予め定められた機器としての前記第２の機器に実行させる、請求項４に記載の制御システム。
【請求項６】
前記データは、前記個人認証の対象者としての第２の個人に対して、前記複数の機器のうちの第３の機器と、前記第３の機器における第３の処理とをさらに関連付けており、
前記サーバ装置は、前記個人認証により前記第２の個人が特定された場合に、前記データに基づいて、前記登録されている処理として前記第３の処理を、前記予め定められた機器としての前記第３の機器に実行させる、請求項５に記載の制御システム。
【請求項７】
前記登録は、前記体重測定または前記個人認証後の予め定められた時間内における前記機器に対するユーザ操作に基づき行われる、請求項２から６のいずれか１項に記載の制御システム。
【請求項８】
前記サーバ装置は、
前記個人認証によって前記第１の個人が特定された後の予め定められた時間内に、前記複数の機器のうちの第４の機器に対するユーザ操作によって第４の処理が前記第４の機器で実行された場合、前記データにおいて前記第１の個人に対して前記第４の機器と前記第４の処理とをさらに関連付け、
前記第１の個人に対する前記第４の機器と前記第４の処理と関連付けがなされた後に、前記個人認証によって前記第１の個人が特定された場合、前記データに基づいて、前記第４の処理を前記第４の機器に実行させる、請求項４から６のいずれか１項に記載の制御システム。
【請求項９】
前記機器は家電である、請求項１から８のいずれか１項に記載の制御システム。
【請求項１０】
個人認証を行ない、前記個人認証によって個人が特定されたことに基づき前記特定された個人に関連付けて登録している処理を予め定められた機器に実行させる、制御装置。
【請求項１１】
個人認証によって個人が特定されたことに基づき外部装置において前記特定された個人に関連付けて登録されている処理を実行する機器。
【請求項１２】
個人認証によって個人が特定されたことに基づき、前記特定された個人に関連付けて登録されている処理を、予め定められた機器に実行させる機器制御方法。
【請求項１３】
個人認証によって個人が特定されたことに基づき、前記特定された個人に関連付けて登録されている処理を、予め定められた機器に実行させるためのプログラム。
【発明の詳細な説明】
【技術分野】
【０００１】
本発明は、制御システム、制御システムを構成する機器および制御装置、機器制御方法、機器を制御するためのプログラムに関する。
【背景技術】
【０００２】
従来、様々な場所で個人認証が行われている。たとえば、特許文献１，２では、トイレで個人認証を行なう構成が開示されている。
【０００３】
具体的には、特許文献１には、便座の着座センサがトイレ使用者の着座を検知すると、着座重量および体脂肪率の測定を行ない、当該測定結果に基づきトイレ使用者が既登録者が否かを判定する技術が開示されている。
【０００４】
また、特許文献２には、トイレ装置から構造上分離した生体情報収集手段および個人識別手段とを備えた生体情報システムが開示されている。当該生体情報システムによれば、トイレの使用者がトイレ装置に接触（たとえば着座）する迄に個人識別が可能となる。
【先行技術文献】
【特許文献】
【０００５】
【特許文献１】特開２００４−３２４３４６号公報
【特許文献２】特開２０００−１３９８５８号公報
【特許文献３】特開２００１−２５６０３６号公報
【発明の概要】
【発明が解決しようとする課題】
【０００６】
ところで、個人の日常の生活パターンには一定の決まりがある。たとえば、ある人は、朝起きると、カーテンを開ける操作、照明をオンする操作、テレビの特定のチャンネルを見るための操作といった一連の操作を実行する。
【０００７】
しかしながら、従来の技術では、個人認証によって個人を識別しても、機器等の機器を制御することはできない。
【０００８】
本願発明は、上記の問題点に鑑みなされたものであって、その目的は、個人認証の技術を用いることによりユーザの機器操作を不要にすることが可能な制御システム、制御システムを構成する機器および制御装置、機器制御方法、機器を制御するためのプログラムを提供することにある。
【課題を解決するための手段】
【０００９】
本発明のある局面に従うと、制御システムは、個人認証によって個人が特定されたことに基づき、特定された個人に関連付けて登録されている処理を、予め定められた機器に実行させる。
【００１０】
好ましくは、宅内のトイレにおける体重測定によって個人認証を行なう。
好ましくは、制御システムは、予め定められた時間帯において体重測定または個人認証が行われたことに基づき、処理を機器に実行させる。
【００１１】
好ましくは、制御システムは、体重測定を行なう体重計と、体重計と複数の機器とに通信可能に接続されたサーバ装置とを備える。サーバ装置は、体重計から受信した体重測定の結果に基づき、個人認証を行なう個人認証手段と、個人認証の対象者としての第１の個人に対して、複数の機器のうちの第１の機器と、第１の機器における第１の処理とを関連付けたデータを記憶した記憶手段と、個人認証により第１の個人が特定された場合、データに基づいて、登録されている処理として第１の処理を、予め定められた機器としての第１の機器に実行させる。
【００１２】
好ましくは、データは、第１の個人に対して、複数の機器のうちの第２の機器と、第２の機器における第２の処理とをさらに関連付けている。サーバ装置は、個人認証により第１の個人が特定された場合、データに基づいて、第１の処理を第１の機器に実行させ、登録されている処理として第２の処理を予め定められた機器としての第２の機器に実行させる。
【００１３】
好ましくは、データは、個人認証の対象者としての第２の個人に対して、複数の機器のうちの第３の機器と、第３の機器における第３の処理とをさらに関連付けている。サーバ装置は、個人認証により第２の個人が特定された場合に、データに基づいて、登録されている処理として第３の処理を、予め定められた機器としての第３の機器に実行させる。
【００１４】
好ましくは、登録は、体重測定または個人認証後の予め定められた時間内における機器に対するユーザ操作に基づき行われる。
【００１５】
好ましくは、サーバ装置は、個人認証によって第１の個人が特定された後の予め定められた時間内に、複数の機器のうちの第４の機器に対するユーザ操作によって第４の処理が第４の機器で実行された場合、データにおいて第１の個人に対して第４の機器と第４の処理とをさらに関連付け、第１の個人に対する第４の機器と第４の処理と関連付けがなされた後に、個人認証によって第１の個人が特定された場合、データに基づいて、第４の処理を第４の機器に実行させる。
【００１６】
好ましくは、機器は家電である。
本発明の他の局面に従うと、制御装置は、個人認証を行ない、個人認証によって個人が特定されたことに基づき特定された個人に関連付けて登録している処理を予め定められた機器に実行させる。
【００１７】
本発明のさらに他の局面に従うと、機器は、個人認証によって個人が特定されたことに基づき外部装置において特定された個人に関連付けて登録されている処理を実行する。
【００１８】
本発明のさらに他の局面に従うと、機器制御方法は、個人認証によって個人が特定されたことに基づき、特定された個人に関連付けて登録されている処理を、予め定められた機器に実行させる。
【００１９】
本発明のさらに他の局面に従うと、プログラムは、個人認証によって個人が特定されたことに基づき、特定された個人に関連付けて登録されている処理を、予め定められた機器に実行させる。
【発明の効果】
【００２０】
本発明によれば、個人認証の技術を用いることによりユーザの機器操作を不要にすることが可能となるといった効果を奏する。
【図面の簡単な説明】
【００２１】
【図１】本実施の形態に係る制御システム１の概略構成を説明するための図である。
【図２】制御システム１の処理の概要を説明するためのシーケンスチャートである。
【図３】個人認証を行なう際に用いる身体情報Ｄ３の概要を説明するための図である。
【図４】設定テーブルＤ４の概要を説明するための図である。
【図５】サーバ装置２００がトイレユニット１００から取得した各種の測定値を記憶した測定値格納テーブルＤ５を説明するための図である。
【図６】サーバ装置２００の機能的構成を説明するための機能ブロック図である。
【図７】サーバ装置２００の処理の流れを説明するためのフローチャートである。
【図８】サーバ装置２００のハードウェア構成の典型例を表した図である。
【図９】操作履歴テーブルＤ９の概要を説明するための図である。
【図１０】サーバ装置２００Ａによって収集された操作ログによって生成された設定テーブルＤ１０の概略構成を説明するための図である。
【図１１】サーバ装置２００Ａの機能的構成を説明するための機能ブロック図である。
【図１２】サーバ装置２００Ａの処理の流れを説明するためのフローチャートである。
【発明を実施するための形態】
【００２２】
以下、図面を参照しつつ、本発明の各実施の形態に係る制御システムについて説明する。また、以下の説明では、同一の部材には同一の参照符号を付してある。それらの名称および機能も同じである。したがって、それらについての詳細な説明は繰り返さない。
【００２３】
［実施の形態１］
＜Ａ．システム構成＞
図１は、本実施の形態に係る制御システム１の概略構成を説明するための図である。図１を参照して、制御システム１は、宅内のトイレユニット１００と、制御装置としてのサーバ装置２００と、複数の機器とを備える。複数の機器は、住宅の敷地内に備えられる。複数の機器の少なくとも１つは、宅内の機器である。また、宅内の機器の少なくとも１つは、家電である。
【００２４】
図１においては、典型的な機器の例として、エアーコンディショナ３０１と、照明器具３０２と、テレビ３０３と、空気清浄機３０４と、電子レンジ３０５と、冷蔵庫３０６と、洗濯機３０７と、電動式カーテン３０８と、車庫の電動式シャッタ３０９とを記載している。なお、以下では、エアーコンディショナ３０１、照明器具３０２、テレビ３０３、空気清浄機３０４、電子レンジ３０５、冷蔵庫３０６、洗濯機３０７、電動式カーテン３０８と、電動式シャッタ３０９のいずれか１つを区別せずに指す場合には、「機器３００」と称する。また、任意の機器３００の各々を区別した表す場合には、「機器３００−１」，「機器３００−２」，「機器３００−３」，…「機器３００−９」と記載する。
【００２５】
トイレユニット１００は、使用者（ユーザ）の健康状態を取得するための手段として機能する。トイレユニット１００は、便器１０１と、操作パネル１０２と、体重計１０３とを備える。便器１０１は、図示しない採尿器を備える。当該採尿器によって、尿糖値と、体温（深部体温）と、尿の水素イオン濃度指数（ｐｈ）とを測定する。なお、採尿器は、尿蛋白、尿潜血等を測定する機能を有していてもよい。採尿器は、測定値（尿糖値、体温、尿のｐｈ）をサーバ装置２００に送信する。
【００２６】
体重計１０３は、体重および体脂肪を測定する。体重計１０３は、測定値（体重および体脂肪）をサーバ装置２００に送信する。体重計１０３は、トイレユニット１００の床に設置されており、トイレマットとしても機能する。なお、体重計１０３は、床に埋め込まれていてもよい。
【００２７】
操作パネル１０２は、ユーザの操作（たとえば、ウォシュレット操作）を受け付けるとともに、各種の情報を表示可能である。また、操作パネルは、スピーカを備え、音声が出力できるように構成されている。
【００２８】
サーバ装置２００は、便器１０１の採尿器、操作パネル１０２、および体重計１０３と通信可能に接続されている。サーバ装置２００は、体重計１０３からの出力に基づき、トイレユニット１００の使用者を特定する。すなわち、サーバ装置２００は、測定された体重（測定値）と予め記憶されている各人の体重（基準値）とを比較することにより、個人認証を行なう。
【００２９】
さらに、サーバ装置２００は、個人認証の結果に基づき、複数の機器３００のうちの少なくとも１つの機器３００を制御する。具体的には、サーバ装置２００は、少なくとも１つの機器３００に対して制御命令を送信することによって、当該機器３００の動作を制御する。サーバ装置２００による機器３００の制御の詳細については後述する。
【００３０】
なお、サーバ装置２００は、１つの装置として記載しているが、複数の装置で構成されていてもよい。また、当該複数の装置の一部は、宅内に備えられていなくてもよい。一例として、サーバ装置２００を、宅内サーバと、宅内サーバに通信可能に接続された外部サーバと、ＨＥＭＳコントローラとで構成してもよい。
【００３１】
＜Ｂ．処理の概要＞
図２は、制御システム１の処理の概要を説明するためのシーケンスチャートである。図２を参照して、シーケンスＳＱ２において、体重計１０３は、トイレユニット１００の利用者の体重および体脂肪の測定を測定する。シーケンスＳＱ４において、体重計１０３は、測定値をサーバ装置２００に送信する。シーケンスＳＱ６において、サーバ装置２００は、個人認証を行なう。
【００３２】
シーケンスＳＱ８において、サーバ装置２００は、個人認証により特定された個人に応じて、制御する機器３００および各機器３００における制御内容を決定する。より具体的には、サーバ装置２００は、個人認証の結果および予め記憶している設定テーブルＤ４（図４参照）に基づき、制御する機器３００および各機器３００における制御内容を決定する。設定テーブルＤ４においては、少なくとも、各個人に対して、制御対象機器と当該制御対象機器に実行させる処理（動作）とが関連付けられている。なお、以下では、一例として、サーバ装置２００が、個人認証の結果、３つの機器３００−１，３００−２，３００−３を制御する構成について説明する。
【００３３】
シーケンスＳＱ１０において、サーバ装置２００は、決定した機器３００−１（たとえば、電動式カーテン３０８）に対して、決定した制御内容（たとえば、電動式カーテン３０８を開状態にする）を実行させるための制御命令αを送信する。シーケンスＳＱ１２において、サーバ装置２００は、決定した機器３００−２（たとえば、照明器具３０２）に対して、決定した制御内容（たとえば、照明をオン（点灯）状態）にする）を実行させるための制御命令βを送信する。シーケンスＳＱ１４において、サーバ装置２００は、決定した機器３００−３（たとえば、エアーコンディショナ３０１）に対して、決定した制御内容（たとえば、設定温度２４度で暖房運転）を実行させるための制御命令γを送信する。
【００３４】
シーケンスＳＱ１６において、機器３００−１は、制御命令αに基づく処理Ｘを実行する。機器３００−１が電動式カーテン３０８である場合、電動式カーテン３０８は、一例として、カーテンを開ける。シーケンスＳＱ１８において、機器３００−２は、制御命令βに基づく処理Ｙを実行する。機器３００−２が照明器具３０２である場合、照明器具３０２は、一例として、照明を点灯する。シーケンスＳＱ２０において、機器３００−３は、制御命令γに基づく処理Ｚを実行する。機器３００−３がエアーコンディショナ３０１である場合、エアーコンディショナ３０１は、一例として、設定温度２４度で暖房運転を開始する。
【００３５】
以上のように、制御システム１においては、サーバ装置２００は、個人認証によって個人が特定されたことに基づき、当該特定された個人に関連付けて登録されている処理を、予め定められた機器３００に実行させる。
【００３６】
上記の構成によれば、制御システム１のユーザ（個人）は、当該ユーザに関連付けて登録されている処理を予め定められた機器３００に実行させるためのユーザ操作（たとえば、指によるボタンのオン操作）を行なわなくても、当該機器３００に当該処理を自動的に実行させることが可能となる。それゆえ、制御システム１によれば、各ユーザによる機器操作の負担を軽減することができる。つまり、制御システム１によれば、個人認証の技術を用いることによりユーザの機器操作を不要にすることが可能となる。
【００３７】
特に、宅内のトイレユニット１００における体重測定によって個人認証が行われるため、ユーザがトイレユニット１００を利用するだけで、個人認証を同時に行なうことが可能となる。つまり、ユーザは、個人認証のみの特別の動作（たとえば、指紋認証のためのセンサに対する指のタッチ）を行なう必要がなくなる。
【００３８】
また、詳細については後述するが、制御システム１は、予め定められた時間帯において体重計１０３を用いた体重測定が行われたことに基づき、上記予め定められた処理を機器３００に実行させる。典型的には、制御システム１は、朝の時間帯（たとえば、午前６時０分から午前６時３０分）において体重測定が行われたことに基づき、上記予め定められた処理を機器３００に実行させる。詳しくは、上記時間帯（図４における監視時間帯）は、各人に対して個別に設定されている。それゆえ、同一ユーザがトイレを使用する度に、同様の機器制御が繰り返し行われることを防ぐことができる。
【００３９】
以下、上記の処理を実行するための具体的構成について説明する。
＜Ｃ．データ構造＞
次に、サーバ装置２００に記憶されている、身体情報Ｄ３、設定テーブルＤ４、および測定値格納テーブルＤ５の概要について、図３から図５に基づいて説明する。あわせて、身体情報Ｄ３、設定テーブルＤ４、および測定値格納テーブルＤ５の利用方法についても説明する。
【００４０】
図３は、個人に関する身体情報Ｄ３の概要を説明するための図である。身体情報Ｄ３は、個人の健康管理に用いられる。また、身体情報は、個人認証を行なう際に利用される。
【００４１】
図３を参照して、身体情報Ｄ３においては、住人（たとえば家族の各人）の名前と、体重および体脂肪率と、尿糖と、尿の水素イオン濃度指数（ｐｈ）と、体温とが予め対応付けられている。身体情報Ｄ３の各数値は、予め登録されており、比較を行なう際の基準値として用いられる。
【００４２】
サーバ装置２００は、体重計１０３から測定値を受信すると、当該測定値と、身体情報Ｄ３における体重および体脂肪率とを比較にして、住人の中から個人を特定する。なお、サーバ装置２００は、個人認証が行われた後に受信した測定値を用いて、身体情報Ｄ３における各値を更新してもよい。
【００４３】
なお、身体情報Ｄ３における各値は、ユーザ入力によって登録されたものであってもよいし、体重計１０３および採尿器を用いた測定により登録されたものであってもよい。
【００４４】
図４は、設定テーブルＤ４の概要を説明するための図である。図４を参照して、設定テーブルＤ４においては、個人の名前と、監視時間帯と、制御対象機器と、処理（動作）とが対応付けて記憶されている。たとえば、「花子」には、３つの制御対象機器と、各制御対象機器における処理とが対応付けられている。また、「太郎」に関しては、２つの監視時間帯が設定されており、各監視時間帯に対して制御対象機器および当該制御対象機器における処理とが対応付けられている。
【００４５】
本実施の形態においては、ユーザ入力に基づき、「名前」、「監視時間帯」、「制御対象機器」、および「処理（動作）」についての設定テーブルＤ４への登録処理がなされる。具体的には、たとえば花子本人が、「名前」、「監視時間帯」、「制御対象機器」、および「処理（動作）」の各々をサーバ装置２００に登録する操作を行なうことにより、図４に示した設定テーブルＤ４が生成される。
【００４６】
サーバ装置２００は、体重計１０３を用いた個人認証により「花子」を特定した場合、体重計１０３による測定が午前５時０分から午前６時３０分迄（監視時間帯）に行われたことを条件として、電動式カーテン３０８、照明器具３０２、およびエアーコンディショナ３０１の各々に対して異なる制御命令を送信する。たとえば、サーバ装置２００は、電動式カーテン３０８に対してカーテンを開状態にするための制御命令を送信し、照明器具３０２に対して照明をオン状態にするため制御命令を送信する。
【００４７】
サーバ装置２００は、個人認証により「太郎」を特定した場合、体重計１０３による測定が午前６時５０分から午前７時２０分迄に行われたことを条件として、テレビ３０３に対して制御命令を送信する。具体的には、サーバ装置２００は、設定テーブルＤ４の処理の項目を参照して、テレビ３０３に対して、６チャンネルを表示させるための制御命令を送信する。
【００４８】
また、サーバ装置２００は、個人認証により「太郎」を特定した場合、体重計１０３による測定が午前８時００分から午前８時１０分迄に行われたことを条件として、電動式シャッタ３０９に対して制御命令を送信する。具体的には、サーバ装置２００は、設定テーブルＤ４の処理の項目を参照して、電動式シャッタ３０９に対して、シャッタを開状態にするための制御命令を送信する。
【００４９】
なお、上記においては、監視時間帯を体重計１０３による測定が行われた時点（正確には、測定値をサーバ装置２００が受信した時点）を判断基準としたが、測定値を用いて個人認証が行われた時点を基準としてもよい。
【００５０】
図５は、サーバ装置２００がトイレユニット１００から取得した各種の測定値を記憶した測定値格納テーブルＤ５を説明するための図である。図５を参照して、測定値格納テーブルＤ５には、トイレの使用日時（測定日時）、体重、体脂肪率、尿糖、尿の水素イオン濃度指数（ｐｈ）、および体温が記録される。
【００５１】
サーバ装置２００は、測定値格納テーブルＤ５に直近に格納された各数値と、図３で説明した身体情報Ｄ３とを対比することにより、個人の健康管理を行なう。さらには、サーバ装置２００は、測定値格納テーブルＤ５に直近に格納された体重および体脂肪率と、図３で説明した身体情報Ｄ３とを対比することにより、個人認証を行なう。
【００５２】
＜Ｄ．機能的構成＞
図６は、サーバ装置２００の機能的構成を説明するための機能ブロック図である。図６を参照して、サーバ装置２００は、記憶部２０２と、受信部２０３と、個人認証部２０４と、制御命令生成部２０５と、送信部２０６とを備える。記憶部２０２は、身体情報Ｄ３と、設定テーブルＤ４と、測定値格納テーブルＤ５とを記憶している。
【００５３】
受信部２０３は、体重計１０３から測定値（体重および体脂肪率）を受信する。また、受信部２０３は、図示しない採尿器から、尿糖値、体温、および尿のｐｈを受信する。受信部２０３は、体重、体脂肪率、尿糖値、体温、および尿のｐｈを、受信した時刻に対応付けて測定値格納テーブルＤ５に格納する。
【００５４】
個人認証部２０４は、体重計１０３から受信した測定値（体重測定の結果）に基づき、個人認証を行なう。詳しくは、個人認証部２０４は、受信部２０３が測定値格納テーブルＤ５を更新したことに基づき、身体情報Ｄ３を用いて個人認証を行なう。個人認証部２０４は、認証結果を制御命令生成部２０５に送る。
【００５５】
さらに、サーバ装置２００は、体重計１０３から受信した測定値（体重測定の結果）および採尿器から受信した測定値（尿糖、ｐＨ、体温）と、認証された個人に関する身体情報Ｄ３における各数値（基準値）とを比較することにより、当該個人の健康管理を行なう。たとえば、サーバ装置２００は、測定値が基準値から所定値以上離れた場合、操作パネル１０２または他の所定の機器（たとえば、認証された個人のスマートフォン、テレビ等）に、警告を表す出力を行なわせる。
【００５６】
制御命令生成部２０５は、受信部２０３が体重および体脂肪率を体重計１０３から受信した時刻が、設定テーブルＤ４における特定された個人（認証結果）に対応付けられた監視時間内か否かを判断する。制御命令生成部２０５は、監視時間内であることを条件に、設定テーブルＤ４を参照して、個人認証により特定された個人に対応付けられた制御対象機器に予め登録された処理（動作）を実行させるための制御命令を生成する。制御命令生成部２０５は、生成した各制御命令を送信部２０６に送る。
【００５７】
送信部２０６は、制御命令生成部２０５から受け付けた制御命令を、対応する各制御対象機器に送信する。制御命令生成部２０５および送信部２０６の処理について具体例を挙げて説明すれば、以下のとおりである。
【００５８】
トイレユニット１００の使用者が体重計１０３を用いた個人認証によって「花子」であると特定された場合、制御命令生成部２０５は、設定テーブルＤ４に基づいて、体重および体脂肪率を体重計１０３から受信した時刻が午前５時０分から午前６時３０分の間であることを条件に、電動式カーテン３０８と照明器具３０２とエアーコンディショナ３０１とを制御するための制御命令を個別に生成する。具体的には、制御命令生成部２０５は、設定テーブルＤ４を参照して、電動式カーテン３０８に対してはカーテンを開状態にするための制御命令を生成し、照明器具３０２に対しては照明をオンにする制御命令を生成し、エアーコンディショナ３０１に対しては設定温度２４度で暖房運転を開始させる制御命令を生成する。
【００５９】
送信部２０６は、電動式カーテン３０８に対して、カーテンを開状態にするための制御命令を送信し、照明器具３０２に対して、照明をオンにする制御命令を送信し、エアーコンディショナ３０１に対して、設定温度２４度で暖房運転を開始させる制御命令を送信する。この場合、電動式カーテン３０８は、カーテンを開状態にし、照明器具３０２は、照明をオンにし、エアーコンディショナ３０１は、設定温度２４度で暖房運転を開始する。
【００６０】
＜Ｅ．制御構造＞
図７は、サーバ装置２００の処理の流れを説明するためのフローチャートである。図７を参照して、ステップＳ２において、サーバ装置２００は、体重計１０３から測定値を受信する。ステップＳ４において、サーバ装置２００は、受信した測定値を用いて測定値格納テーブルＤ５を更新する。ステップＳ６において、サーバ装置２００は、直近の測定値と身体情報Ｄ３とを用いて個人認証を行なう。
【００６１】
ステップＳ８において、サーバ装置２００は、個人認証により特定された個人のデータが設定テーブルＤ４に登録されているか否かを判断する。登録されていると判断された場合（ステップＳ８においてＹＥＳ）、サーバ装置２００は、ステップＳ１０において、体重計１０３から測定値を受信した時刻が、特定された個人に対応付けられた監視時間帯であるか否かを判断する。登録されていないと判断された場合（ステップＳ８においてＮＯ）、サーバ装置２００は、ステップＳ１４において、新規登録処理を実行する。具体的には、サーバ装置２００は、宅内における予め定められた装置（ＰＣ、タブレット端末等）に新規登録の画面を表示させ、入力を受け付けることにより、身体情報Ｄ３に新規登録者のデータを追加する。
【００６２】
監視時間帯であると判断された場合（ステップＳ１０においてＹＥＳ）、サーバ装置２００は、ステップＳ１２において、特定された個人に対応付けて登録されている機器３００に登録されている処理を実行させる。詳しくは、サーバ装置２００は、設定テーブルＤ４を参照して、特定された個人に対応付けられた制御対象機器に予め定められた処理を実行させる。監視時間帯でないと判断された場合（ステップＳ１０においてＮＯ）、サーバ装置２００は、一連の処理を終了する。
【００６３】
＜Ｆ．ハードウェア構成＞
図８は、サーバ装置２００のハードウェア構成の典型例を表した図である。図８を参照して、サーバ装置２００は、主たる構成要素として、プログラムを実行するＣＰＵ２５１と、データを不揮発的に格納するＲＯＭ２５２と、ＣＰＵ２５１によるプログラムの実行により生成されたデータ、又は入力装置を介して入力されたデータを揮発的に格納するＲＡＭ２５３と、データを不揮発的に格納するＨＤＤ２５４と、ＬＥＤ２５５と、スイッチ２５６と、通信ＩＦ（Interface）２５７と、電源回路２５８と、ディスプレイ２５９と、操作キー２６０とを含む。各構成要素は、相互にデータバスによって接続されている。
【００６４】
電源回路２５８は、コンセントを介して受信した商用電源の電圧を降圧し、サーバ装置２００の各部に電源供給を行なう回路である。スイッチ２５６は、電源回路２５８に給電を行なうか否かを切替えるための主電源用のスイッチ、およびその他の各種の押しボタンスイッチである。ディスプレイ２５９は、各種のデータを表示するためのデバイスである。
【００６５】
通信ＩＦ２５７は、トイレユニット１００から送信されたデータの受信処理、および機器３００に対するデータの送信処理を行なう。
【００６６】
ＬＥＤ２５５は、サーバ装置２００の動作状態を表す各種の表示ランプである。たとえば、ＬＥＤ２５５は、サーバ装置２００の主電源のオンまたはオフ状態、およびＨＤＤ２５４への読み出しまたは書き込み状態等を表す。操作キー２６０は、サーバ装置２００のユーザがサーバ装置２００へデータを入力するための用いるキー（キーボード）である。
【００６７】
サーバ装置２００における処理は、各ハードウェアおよびＣＰＵ２５１により実行されるソフトウェアによって実現される。このようなソフトウェアは、ＨＤＤ２５４に予め記憶されている場合がある。また、ソフトウェアは、その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、読取装置によりその記憶媒体から読み取られて、あるいは、通信ＩＦ２５７等を介してダウンロードされた後、ＨＤＤ２５４に一旦格納される。そのソフトウェアは、ＣＰＵ２５１によってＨＤＤ２５４から読み出され、ＲＡＭ２５３に実行可能なプログラムの形式で格納される。ＣＰＵ２５１は、そのプログラムを実行する。
【００６８】
同図に示されるサーバ装置２００を構成する各構成要素は、一般的なものである。したがって、本発明の本質的な部分は、ＲＡＭ２５３、ＨＤＤ２５４、記憶媒体に格納されたソフトウェア、あるいはネットワークを介してダウンロード可能なソフトウェアであるともいえる。なお、サーバ装置２００の各ハードウェアの動作は周知であるので、詳細な説明は繰り返さない。
【００６９】
なお、記録媒体としては、ＤＶＤ−ＲＡＭに限られず、ＤＶＤ-ＲＯＭ、ＣＤ−ＲＯＭ、ＦＤ、ハードディスク、磁気テープ、カセットテープ、光ディスク、ＥＥＰＲＯＭ、フラッシュＲＯＭなどの半導体メモリ等の固定的にプログラムを担持する媒体でもよい。また、記録媒体は、当該プログラム等をコンピュータが読取可能な一時的でない媒体である。また、ここでいうプログラムとは、ＣＰＵにより直接実行可能なプログラムだけでなく、ソースプログラム形式のプログラム、圧縮処理されたプログラム、暗号化されたプログラム等を含む。
【００７０】
［実施の形態２］
実施の形態１では、制御システム１のユーザが「名前」と「監視時間帯」と「制御対象機器」と「処理（動作）」とを登録することによって、設定テーブルＤ４内にデータが記録される構成を説明した。本実施の形態では、ユーザが上記登録を行なわなくても、サーバ装置が自動的に設定テーブル内のデータを生成する構成について説明する。詳しくは、サーバ装置が、ユーザによる機器３００の操作ログに基づき設定テーブル内のデータを生成（つまり、設定テーブルを更新）する態様ついて説明する。
【００７１】
なお、以下では、実施の形態１の制御システム１およびサーバ装置２００と区別するために、本実施の形態における制御システムおよびサーバ装置を、それぞれ、「制御システム１Ａ」、「サーバ装置２００Ａ」と称する。
【００７２】
制御システム１Ａは、トイレユニット１００と、サーバ装置２００Ａと、複数の機器３００とを備える（図１参照）。サーバ装置２００Ａは、身体情報Ｄ３および測定値格納テーブルＤ５を記憶している。また、サーバ装置２００Ａは、設定テーブルＤ４の代わりに、設定テーブルＤ１０を記憶している。
【００７３】
設定テーブルＤ１０には、サーバ装置２００Ａによって、ユーザによる機器３００の操作ログに基づいたデータが逐次書き込まれる。設定テーブルＤ１０において書き込まれる対象項目は、実施の形態１の設定テーブルＤ４と同じである。なお、設定テーブルＤ１０には、上記書込みが行われる以前においては、具体的な各ユーザの名前、各ユーザに対応付けられた監視時間帯等のデータは書き込まれていない。設定テーブルＤ１０の詳細については後述する（図１０）。
【００７４】
＜Ｇ．処理の概要＞
サーバ装置２００Ａは、体重計１０３から測定値を受信したことに基づき、身体情報Ｄ３を参照して、個人認証を行なう。また、サーバ装置２００Ａは、体重計１０３による測定をしてから（正確には、体重計１０３から測定値を受信してから）予め定められた時間内における、操作された機器３００および当該機器３００における操作内容のログを蓄積する。具体的には、サーバ装置２００Ａは、操作された機器３００から操作内容を受信することによって、ログを後述する操作履歴テーブルＤ９に蓄積する。予め定められた時間としては、たとえば、５分とすることができる。
【００７５】
サーバ装置２００Ａは、上記蓄積されたログに基づき設定テーブルＤ１０を更新する。さらに、サーバ装置２００Ａは、設定テーブルＤ１０の更新処理と、実施の形態１で説明したのと同様の個人認証に基づく機器３００の制御とを、並行または連続して行なう。
【００７６】
以上のように、本実施の形態では、機器３００に実行させる処理の登録は、体重測定後の予め定められた時間内における当該機器３００に対するユーザ操作に基づき行われる。以下、上記の処理を実行するための具体的構成について説明する。
【００７７】
＜Ｈ．データ構造＞
図９は、操作履歴テーブルＤ９の概要を説明するための図である。詳しくは、図９は、サーバ装置２００Ａが測定値（体重および体脂肪率）を受信してから５分以内における、操作された機器３００および当該機器３００における操作内容のログを表した図である。
【００７８】
図９を参照して、操作履歴テーブルＤ９には、機器３００を操作したときの日時と、操作された機器３００と、機器３００の状態の変化とが対応付けて記憶されている。図９の例は、２０１４年１月２４日の午前６時０３分と、２０１４年１月２４日の午前７時１０分と、２０１４年１月２４日の午前８時０５分とに、サーバ装置２００Ａが体重計１０３から測定値を受信した場合の操作ログを表している。
【００７９】
操作履歴テーブルＤ９には、上記午前６時０３分から予め定められた時間である５分以内の間（つまり、午前６時０３分から午前６時０８分迄）に、電動式カーテン３０８と、照明器具３０２と、エアーコンディショナ３０１と、洗濯機３０７とが操作されたことが記録されている。さらには、操作履歴テーブルＤ９には、これらの操作された機器３００における状態変化が、各機器３００に対応付けて記憶されている。
【００８０】
また、操作履歴テーブルＤ９には、上記午前７時１０分から５分以内の間に、テレビ３０３と空気清浄機３０４とが操作されたことが記録されている。さらには、操作履歴テーブルＤ９には、これらの操作された機器３００における状態変化が、各機器３００に対応付けて記憶されている。
【００８１】
さらに、操作履歴テーブルＤ９には、上記午前８時０５分から５分以内の間に、電動式シャッタ３０９が操作されたことが記録されている。さらには、操作履歴テーブルＤ９には、これらの操作された電動式シャッタ３０９における状態変化が、電動式シャッタ３０９に対応付けて記憶されている。
【００８２】
図１０は、サーバ装置２００Ａによって収集された操作ログによって生成された設定テーブルＤ１０の概略構成を説明するための図である。図１０を参照して、サーバ装置２００Ａは、体重計１０３を用いた個人認証の結果と、操作履歴テーブルＤ９とを参照して、設定テーブルＤ１０を更新する。
【００８３】
たとえば、２０１４年１月２４日の午前６時０３分頃に受信した測定値に基づいた個人認証より、「花子」が特定された場合、サーバ装置２００Ａは、まず、設定テーブルＤ１０の名前の欄に、「花子」を記録する。
【００８４】
次いで、サーバ装置２００Ａは、監視時間帯の欄に、午前６時０３分の前後の１０分間を含む時間帯（午前５時５３分から午前６時１３分）を記録する。午前６時０３分の前後の１０分間の時間帯を含めて監視時間帯とする理由は、個人によって起床時間およびトイレユニット１００の使用時間が概ね決まっているためである。なお、時間帯の幅としては、２０分間に限定されるものではなく、ユーザが設定可能に構成されることが好ましい。詳しくは、本実施の形態においては、各個人に関し、朝の時間帯における最初のトイレ使用に基づき、監視時間帯が設定される。
【００８５】
また、サーバ装置２００Ａは、操作履歴テーブルＤ９における機器の欄を参照して、午前６時０３分から５分以内の間に操作された、電動式カーテン３０８と、照明器具３０２と、エアーコンディショナ３０１と、洗濯機３０７とを、設定テーブルＤ１０の制御対象機器の欄に、名前“花子”および監視時間帯“午前５時５３分から午前６時１３分”とに対応付けて記録する。
【００８６】
さらに、サーバ装置２００Ａは、操作履歴テーブルＤ９における状態変化の欄を参照して、設定テーブルＤ１０の処理（動作）の欄に、各制御対象機器に関連付けて処理内容を記録する。たとえば、電動式カーテン３０８の変化状態の欄（図９参照）には、閉状態から開状態へ変化したことが記録されているため、サーバ装置２００Ａは、設定テーブルＤ１０において、電動式カーテン３０８に対応付けて“開く”といった処理を記録する。
【００８７】
なお、２０１４年１月２４日の午前７時１０分頃に受信した測定値に基づいた個人認証よって「太郎」が特定された場合、および２０１４年１月２４日の午前８時５分頃に受信した測定値に基づいた個人認証よって「太郎」が特定された場合についても、「花子」について説明した処理と同様の処理をサーバ装置２００Ａは実施する。
【００８８】
以上の処理によって、設定テーブルＤ１０が更新される。
なお、複数日にわたり操作ログが蓄積された場合には、監視時間帯、制御対象機器、および処理を更新するように、サーバ装置２００Ａを更新することが好ましい。たとえば、花子のトイレユニット１００の使用時間が上記監視時間帯に収まらない場合には、当該使用時間帯を含むように監視時間帯を更新することが好ましい。また、新たな機器３００が上記予め定められた時間（５分）以内にユーザによって操作された場合、サーバ装置２００Ａは、設定テーブルＤ１０において、当該新たな機器３００を制御対象機器として追加し、当該操作内容に基づいた処理を当該制御対象機器に対応付けて記録すればよい。
【００８９】
＜Ｉ．機能的構成＞
図１１は、サーバ装置２００Ａの機能的構成を説明するための機能ブロック図である。図１１を参照して、サーバ装置２００Ａは、記憶部２０２Ａと、受信部２０３と、個人認証部２０４Ａと、制御命令生成部２０５Ａと、送信部２０６と、受信部２０７と、更新部２０８とを備える。記憶部２０２Ａは、身体情報Ｄ３と、測定値格納テーブルＤ５と、操作履歴テーブルＤ９と、設定テーブルＤ１０とを記憶している。
【００９０】
（ｉ１．機器３００の制御）
サーバ装置２００Ａは、記憶部２０２Ａと個人認証部２０４Ａと制御命令生成部２０５Ａを備える点において、記憶部２０２と個人認証部２０４と制御命令生成部２０５とを備えるサーバ装置２００と異なる。サーバ装置２００Ａは、受信部２０７および更新部２０８を備える点において、こられを備えていないサーバ装置２００と異なる。以下、サーバ装置２００Ａの各部に関し、主として、サーバ装置２００と異なる点について説明する。
【００９１】
個人認証部２０４Ａは、受信部２０３が測定値格納テーブルＤ５を更新したことに基づき、身体情報Ｄ３を用いて個人認証を行なう。個人認証部２０４Ａは、認証結果を制御命令生成部２０５および更新部２０８に送る。
【００９２】
制御命令生成部２０５Ａは、受信部２０３が体重および体脂肪率を体重計１０３から受信した時刻が、設定テーブルＤ１０における特定された個人（認証結果）に対応付けられた監視時間内か否かを判断する。制御命令生成部２０５Ａは、設定テーブルＤ１０に個人認証により特定された個人に関するデータが記録されていない場合には、制御命令を生成することなく、処理を終了する。
【００９３】
制御命令生成部２０５Ａは、監視時間内であることを条件に、設定テーブルＤ１０を参照して、個人認証により特定された個人に対応付けられた制御対象機器に予め登録された処理（動作）を実行させるための制御命令を生成する。制御命令生成部２０５Ａは、生成した各制御命令を送信部２０６に送る。
【００９４】
送信部２０６は、制御命令生成部２０５Ａから受け付けた制御命令を、対応する各制御対象機器に送信する。
【００９５】
（ｉ２．設定テーブルＤ１０の更新）
受信部２０７は、各機器３００から当該機器３００に対するユーザ操作を表した操作入力情報を受信する。受信部２０７は、操作入力情報に基づき、体重計１０３から測定値を受信してから５分以内における、操作された機器３００および当該機器３００における操作内容を、操作履歴テーブルＤ９にログとして記録する。受信部２０７は、操作履歴テーブルＤ９に新たなログを記録したことに基づき、更新部２０８に予め定められた指示を送る。
【００９６】
更新部２０８は、予め定められた指示を受信部２０７から受け付けたことに基づき、操作履歴テーブルＤ９および認証結果とに基づいて、設定テーブルＤ１０を更新する。当該生成の方法については、図１０に基づいて既に説明したため、ここでは当該方法については繰り返し説明しない。
【００９７】
＜Ｊ．制御構造＞
図１２は、サーバ装置２００Ａの処理の流れを説明するためのフローチャートである。図１２を参照して、ステップＳ２，Ｓ４、Ｓ６，Ｓ１０，Ｓ１２の処理は、それぞれ、実施の形態１における図７で示したステップＳ２，Ｓ４、Ｓ６，Ｓ１０，Ｓ１２と同じである。したがって、以下では、ステップＳ２，Ｓ４、Ｓ６，Ｓ１０，Ｓ１２の処理については繰り返し説明しない。
【００９８】
ステップＳ２の後、サーバ装置２００Ａは、ステップＳ１０２において、予め定められた時間である５分を計時するために、タイマをスタートさせる。ステップＳ６の後、サーバ装置２００Ａは、ステップＳ８Ａにおいて、個人認証により特定された個人のデータが設定テーブルＤ１０に登録されているか否かを判断する。登録されていると判断された場合（ステップＳ８ＡにおいてＹＥＳ）、サーバ装置２００は、処理をステップＳ１０に進める。サーバ装置２００Ａは、登録されていないと判断された場合（ステップＳ８ＡにおいてＮＯ）、サーバ装置２００は、処理をステップＳ１０４に進める。また、ステップＳ１２の後、サーバ装置２００Ａは、処理をステップＳ１０４に進める。
【００９９】
ステップＳ１０４以降においては、操作履歴テーブルＤ９および設定テーブルＤ１０の更新が行われる。まず、ステップＳ１０４において、サーバ装置２００Ａは、いずれかの機器３００に対するユーザ操作に基づき処理が当該機器３００で実行されたか否かを判断する。
【０１００】
ステップＳ１０６において、サーバ装置２００Ａは、ユーザ操作に基づき処理を実行した機器３００と、少なくとも変化後の状態とを、操作履歴テーブルＤ９に記録する。つまり、サーバ装置２００Ａは、図１１において示した操作入力情報に基づき、操作履歴テーブルＤ９を更新する。
【０１０１】
ステップＳ１０８において、サーバ装置２００Ａは、個人認証の結果と、操作履歴テーブルとを参照して、設定テーブルＤ１０を更新する。具体的には、サーバ装置２００Ａは、認証結果と、ユーザ操作に基づき設定テーブルＤ１０に規定した処理以外の処理および当該処理を行なった機器３００とを、互いに対応付けた状態で、設定テーブルＤ１０に書き込む。
【０１０２】
ステップＳ１１０において、サーバ装置２００Ａは、ステップＳ１０２で開始したタイマの計時に基づいて、予め定められた時間（５分）が経過したか否かを判断する。予め定められた時間が経過したと判断された場合（ステップＳ１１０においてＹＥＳ）、サーバ装置２００Ａは、一連の処理を終了する。予め定められた時間が経過していないと判断された場合（ステップＳ１１０においてＮＯ）、サーバ装置２００Ａは、処理をステップＳ１０４に戻す。なお、設定テーブルＤ１０が更新された後に、サーバ装置２００Ａが体重計１０３から測定値を受信すると（ステップＳ２）、更新後の設定テーブルＤ１０を用いて、ステップＳ８ＡおよびステップＳ１０８の各処理が実行される。
【０１０３】
以上のように、制御システム１Ａにおいては、サーバ装置２００Ａは、実施の形態１のサーバ装置２００と同様、個人認証によって個人が特定されたことに基づき、当該特定された個人に関連付けて登録されている処理を、予め定められた機器３００に実行させる。
【０１０４】
上記の構成によれば、制御システム１Ａのユーザ（個人）は、当該ユーザに関連付けて登録されている処理を予め定められた機器３００に実行させるためのユーザ操作（たとえば、指によるボタンのオン操作）を行なわなくても、当該機器３００に当該処理を自動的に実行させることが可能となる。それゆえ、制御システム１Ａによれば、各ユーザによる機器操作の負担を軽減することができる。つまり、制御システム１Ａによれば、個人認証の技術を用いることによりユーザの機器操作を不要にすることが可能となる
さらに、制御システム１Ａによれば、上述したように、ユーザによる機器３００の操作に基づいて設定テーブルＤ１０が逐次更新されるため、各ユーザにとって適した処理を対応する機器３００に実行させることが可能となる。
【０１０５】
＜Ｋ．変形例＞
（１）上述した「予め定められた時間」の設定をユーザが可能なように、サーバ装置２００Ａを構成してもよい。
【０１０６】
（２）体重計１０３による測定をしてから予め定められた時間内におけるログを蓄積する代わりに、個人認証後の予め定められた時間内におけるログを蓄積するように、サーバ装置２００Ａを構成してもよい。
【０１０７】
（３）上記においては予め定められた時間の操作ログを操作履歴テーブルＤ９に格納する構成を例に挙げて説明したが、これに限定されるものではない。機器３００に対する操作ログを全て操作履歴テーブルＤ９に記憶しておき、体重計１０３から測定値を受信してから予め定められた時間内の操作ログを抽出することにより、設定テーブルＤ１０を生成（更新）するように、サーバ装置２００Ａを構成してもよい。
【０１０８】
［実施の形態３］
上記実施の形態１においては、設定テーブルＤ４における各データをユーザが手動で登録する構成について説明した。また、上記実施の形態２においては、設定テーブルＤ４に対応する設定テーブルＤ１０における各データが自動的に登録（更新）される構成について説明した。しかしながら、これに限定されるものではない。
【０１０９】
たとえば、最初は、設定テーブルＤ４における各データをユーザが手動で登録しておき、その後、実施の形態２で説明した更新方法で設定テーブルＤ４におけるデータが逐次更新されるように、サーバ装置２００を構成してもよい。
【０１１０】
［実施の形態４］
制御システム１，１Ａの構成を以下のようにしてもよい。トイレユニット１００の操作パネル１０２等を介して、ユーザとの音声でのやり取りが可能なように、サーバ装置２００，２００Ａを構成する。つまり、サーバ装置２００，２００Ａとユーザとの間で対話が可能なようにする。
【０１１１】
サーバ装置２００，２００Ａは、設定テーブルＤ４，Ｄ１０に記載の処理を対応する機器３００に実行させる前に、トイレにおいて、当該処理を実行してもよいか否かをユーザに問い合わせる。サーバ装置２００，２００Ａは、ユーザから許可を受け付けたことを条件に、上記処理を、対応する機器３００に実行させる。
【０１１２】
上記の構成によれば、ユーザが、その時に希望しない処理を対応する機器３００に実行させないでおくことが可能となる。
【０１１３】
［実施の形態５］
上記の各実施の形態１〜４においては、体重計１０３がトイレに備えられている構成を例に挙げて説明したが、これに限定されるものではない。たとえば、特に、体重計１０３をマットとして構成したり、あるいは体重計１０３を床に埋め込む場合には、ユーザが朝一番に立ち止まる場所に体重計を設置してもよい。たとえば、トースタの前の床や、洗面台の前の床に体重計を設置する構成であってもよい。
【０１１４】
［実施の形態６］
上記の各実施の形態１〜４においては、床に設置または内蔵された体重計１０３を利用して個人認証を行なったが、これに限定されるものではない。たとえば、便座に重量測定機能を備えておき、ユーザが便座に腰を掛けたときの重量に基づいて個人認証を行なってもよい。あるいは、ユーザがトイレに所持したスマートフォン等の端末装置と、トイレに備えられた受信機との間の通信（典型定期には非接触通信）に基づき、個人認証を行なってもよい。
【０１１５】
個人認証の方法は、特に限定されるものではないが、日常行なう動作に付随して、個人認証が自動的に行われる構成であることが好ましい。
【０１１６】
［実施の形態７］
上記の各実施の形態１，２においては、サーバ装置２００，２００Ａが、それぞれ、設定テーブルを１つだけ記憶している構成を例に挙げて説明したが、これに限定されるものではない。
【０１１７】
サーバ装置２００，２００Ａは、たとえば、曜日毎に設定テーブルＤ４，Ｄ１０を有していてもよい。また、サーバ装置２００，２００Ａは、平日と週末（土日）とで異なる設定テーブルを有していてもよい。あるいは、サーバ装置２００，２００Ａは、月毎に設定テーブルＤ４，Ｄ１０を有していてもよい。あるいは、サーバ装置２００，２００Ａは、四季毎（たとえば、１月〜３月、４月〜６月、７月〜９月、１０月〜１２月）に設定テーブルＤ４，Ｄ１０を有していてもよい。
【０１１８】
また、設定テーブルＤ１０は、季節の変わり目等の予め定められた時期が到来すると、記憶していたデータを消去し、操作履歴テーブルＤ９に新たに登録されたログに基づいて設定テーブルＤ１０を新たに作成し直すように、サーバ装置２００Ａを構成してもよい。
【０１１９】
［実施の形態８］
上記の実施の形態２においては、サーバ装置２００Ａが、個人認証の結果と操作履歴テーブルとを参照して設定テーブルＤ１０を更新する構成について説明した（図１０ステップＳ１０８）。具体的には、サーバ装置２００Ａが、認証結果とユーザ操作に基づき設定テーブルＤ１０に規定した処理以外の処理および当該処理を行なった機器３００とを、互いに対応付けた状態で設定テーブルＤ１０に書き込む構成について説明した。また、実施の形態２では、朝の時間帯における最初のトイレ使用に基づき、監視時間帯が設定される構成について説明した。しかしながら、設定テーブルＤ１０の更新処理は、これに限定されるものではない。
【０１２０】
たとえば、朝の時間帯以外のトイレ使用、あるいは朝の時間帯における２度目以降のトイレ使用であっても、トイレ使用後に連続して特定の機器３００に対する同一の操作（たとえば、電源をオン）が所定の日数（たとえば５日）連続してなされた場合には、当該機器３００と当該操作に基づく処理（動作）とを当該トイレ使用によって認証された個人に対応付けた状態で設定テーブルＤ１０に追加するように、サーバ装置２００Ａを構成することが好ましい。この場合には、監視時間帯の設定を実施の形態２の方法で設定してもよいし、設定しなくてもよい。
【０１２１】
＜まとめ＞
（１）制御システム１，１Ａは、個人認証によって個人が特定されたことに基づき、上記特定された個人に関連付けて登録されている処理（設定テーブルＤ４，Ｄ１０に記載の処理）を、予め定められた機器３００に実行させる。好ましくは、機器３００は家電である。
【０１２２】
上記の構成によれば、制御システム１，１Ａのユーザ（個人）は、当該ユーザに関連付けて登録されている処理を予め定められた機器３００に実行させるためのユーザ操作（たとえば、指によるボタンのオン操作）を行なわなくても、当該機器３００に当該処理を自動的に実行させることが可能となる。それゆえ、制御システム１，１Ａによれば、各ユーザによる機器操作の負担を軽減することができる。つまり、制御システム１，１Ａによれば、個人認証の技術を用いることによりユーザの機器操作を不要にすることが可能となる。
【０１２３】
（２）制御システム１，１Ａは、宅内のトイレにおける体重測定によって上記個人認証を行なう。上記の構成によれば、ユーザがトイレを利用するだけで、個人認証を同時に行なうことが可能となる。つまり、ユーザは、個人認証のみの特別の動作（たとえば、指紋認証のためのセンサに対する指のタッチ）を行なう必要がなくなる。
【０１２４】
（３）制御システム１，１Ａは、予め定められた時間帯（監視時間帯）において上記体重測定または上記個人認証が行われたことに基づき、上記処理を機器３００に実行させる。上記の構成によれば、トイレを使用する度に、同様の機器制御が繰り返し行われることを防ぐことができる。
【０１２５】
（４）機器３００は機器である。制御システム１，１Ａは、上記体重測定を行なう体重計１０３と、体重計１０３と複数の機器３００−１，３００−２，…とに通信可能に接続されたサーバ装置２００，２００Ａとを備える。
【０１２６】
サーバ装置２００，２００Ａは、体重計１０３から受信した上記体重測定の結果（測定値）に基づき、上記個人認証を行なう個人認証部２０４，２０４を備える。また、サーバ装置２００，２００Ａは、上記個人認証の対象者としての第１の個人（たとえば、「花子」）に対して、複数の機器３００のうちの第１の機器３００−１（たとえば、「電動式カーテン３０８」）と、上記第１の機器における第１の処理（たとえば、「開く」）とを関連付けたデータ（設定テーブルＤ４，Ｄ１０）を記憶した記憶部２０２，２０２Ａを備える。サーバ装置２００，２００Ａは、上記個人認証により上記第１の個人が特定された場合、上記データに基づいて、上記登録されている処理として上記第１の処理を、上記予め定められた機器としての上記第１の機器に実行させる。
【０１２７】
上記の構成によれば、第１の個人は、当該第１の個人に関連付けて登録されている第１の処理を第１の機器３００−１に実行させるためのユーザ操作を行なわなくても、サーバ装置２００，２００Ａによって、第１の機器３００−１に第１の処理を自動的に実行させることができる。
【０１２８】
（５）上記データ（設定テーブルＤ４，Ｄ１０）は、上記第１の個人（たとえば、「花子」）に対して、複数の機器３００のうちの第２の機器３００−２（たとえば、「照明器具３０２」）と、上記第２の機器における第２の処理（たとえば、「オン」）とをさらに関連付けている。サーバ装置２００，２００Ａは、上記個人認証により上記第１の個人が特定された場合、上記データに基づいて、上記第１の処理を上記第１の機器に実行させ、上記登録されている処理として上記第２の処理を上記予め定められた機器としての上記第２の機器に実行させる。
【０１２９】
上記の構成によれば、第１の個人は、当該第１の個人に関連付けて登録されている第１の処理を第１の機器３００−１に実行させるためのユーザ操作を行なわなくても、サーバ装置２００，２００Ａによって、第１の機器３００−１に第１の処理を自動的に実行させることができる。さらに、第１の個人は、当該第１の個人に関連付けて登録されている第２の処理を第２の機器３００−２に実行させるためのユーザ操作を行なわなくても、サーバ装置２００，２００Ａによって、第２の機器３００−２に第２の処理を自動的に実行させることができる。
【０１３０】
（６）上記データ（設定テーブルＤ４，Ｄ１０）は、上記個人認証の対象者としての第２の個人（たとえば、「太郎」）に対して、複数の機器３００のうちの第３の機器３００−３（たとえば、洗濯機３０７）と、上記第３の機器における第３の処理（たとえば、「運転開始」）とをさらに関連付けている。サーバ装置２００，２００Ａは、上記個人認証により上記第２の個人が特定された場合に、上記データに基づいて、上記登録されている処理として上記第３の処理を、上記予め定められた機器としての上記第３の機器に実行させる。
【０１３１】
上記の構成によれば、第２の個人は、当該第２の個人に関連付けて登録されている第３の処理を第３の機器３００−３に実行させるためのユーザ操作を行なわなくても、サーバ装置２００，２００Ａによって、第３の機器３００−３に第３の処理を自動的に実行させることができる。
【０１３２】
（７）制御システム１Ａにおいては、上記登録は、上記体重測定または上記個人認証後の予め定められた時間内（たとえば、５分）における機器３００に対するユーザ操作に基づき行われる。上記の構成によれば、ユーザによる機器３００の操作に基づいてデータ（設定テーブルＤ１０）が逐次更新されるため、各ユーザにとって適した処理を対応する機器３００に実行させることが可能となる。
【０１３３】
（８）実施の形態３に係るサーバ装置は、上記個人認証によって上記第１の個人（たとえば、「花子」）が特定された後の予め定められた時間内（たとえば、５分以内）に、複数の機器３００のうちの第４の機器３００−４（たとえば、「空気清浄機３０４」）に対するユーザ操作によって第４の処理（たとえば、「オン」）が上記第４の機器で実行された場合、上記データにおいて上記第１の個人に対して上記第４の機器と上記第４の処理とをさらに関連付ける。当該サーバ装置は、上記第１の個人に対する上記第４の機器と上記第４の処理と関連付けがなされた後に、上記個人認証によって上記第１の個人が特定された場合、上記データに基づいて、上記第４の処理を上記第４の機器に実行させる。
【０１３４】
上記の構成によれば、ユーザによる機器３００の操作に基づいてデータ（設定テーブルＤ４）を更新可能となるため、各ユーザにとって適した処理を対応する機器３００に実行させることが可能となる。
【０１３５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１３６】
１，１Ａ  制御システム、１００  トイレユニット、１０１  便器、１０２  操作パネル、１０３  体重計、２００，２００Ａ  サーバ装置、２０２，２０２Ａ  記憶部、２０３，２０７  受信部、２０４，２０４Ａ  個人認証部、２０５，２０５Ａ  制御命令生成部、２０６  送信部、２０８  更新部、２５１  ＣＰＵ、３０１  エアーコンディショナ、３０２  照明器具、３０３  テレビ、３０４  空気清浄機、３０５  電子レンジ、３０６  冷蔵庫、３０７  洗濯機、３０８  電動式カーテン、３０９  電動式シャッタ、Ｄ３  身体情報、Ｄ４，Ｄ１０  設定テーブル、Ｄ５  測定値格納テーブル、Ｄ９  操作履歴テーブル。
【図１】
2015226557.tif 000003
【図２】
2015226557.tif 000004
【図３】
2015226557.tif 000005
【図４】
2015226557.tif 000006
【図５】
2015226557.tif 000007
【図６】
2015226557.tif 000008
【図７】
2015226557.tif 000009
【図８】
2015226557.tif 000010
【図９】
2015226557.tif 000011
【図１０】
2015226557.tif 000012
【図１１】
2015226557.tif 000013
【図１２】
2015226557.tif 000014